(57)【要約】【課題】速い潮流下においても安定した作業台船の提供。【解決手段】作業台船１０が、浮力を有する柱状の複数の支持脚１２，１２…と、支持脚１２，１２…により水面より浮かんだ状態に支持された作業床版１１とを備え、支持脚１２を円柱状に形成することによって、潮流により受ける流圧抵抗を大幅に軽減し、速い潮流下においても係留等の作業を好適に行うことができるようにする。【選択図】    図１
2004352005.tif 000002
【特許請求の範囲】
【請求項１】
浮力を有する柱状の複数の支持脚と、該支持脚により水面より浮かんだ状態に支持された作業床版とを備えたことを特徴としてなる作業台船。
【請求項２】
支持脚は、円柱状である請求項１に記載の作業台船。
【請求項３】
支持脚は、その浮力を調整可能とした請求項１又は２に記載の作業台船。
【請求項４】
作業床版上に仮係留用ワイヤを出入操作する仮係留用ウインチと、方向変換用ワイヤを出入操作する方向変換用ウインチとを搭載し、前記仮係留用ワイヤ及び方向変換用ワイヤの先端をそれぞれ方向の異なる水底に係止させ、前記仮係留用ウインチ及び方向変換用ワイヤを動作させることにより水平方向に回転できるようにした請求項１、２又は３に記載の作業台船。
【請求項５】
作業床版上に吊りワイヤを出入操作する吊り下げ用ウインチを搭載し、前記吊りワイヤを介して水底構造物を吊り下げ保持する請求項１〜３又は４に記載の作業台船。
【請求項６】
作業床版上に構造物操作用ワイヤを出入操作する構造物操作用ウインチを搭載し、前記構造物操作用ワイヤの先端を水底構造物に固定された滑車を通して水底に係止させ、前記構造物操作用ウインチを動作させることにより前記水底構造物の水平方向の位置調整を行うようにした請求項５に記載の作業台船。
【発明の詳細な説明】
【０００１】
【発明の属する技術分野】
本発明は、主に沈埋函等の水底構造物の沈設に用いられる作業台船に関する。
【０００２】
【従来の技術】
従来、沈埋トンネルを構成する沈埋函等の長尺の水底構造物を沈設する沈設工法においては、水底構造物をウインチにより出入動作される吊りワイヤを介して作業台船に吊り持ち保持させ、設置場所においてその吊りワイヤを繰り出すことにより沈埋函等の水底構造物の沈設を行っており、これら一連の沈設作業に用いる作業台船としては、図１１、図１２に示す如きものが知られている。
【０００３】
この作業台船は、４つのポンツーンを備え、そのうちポンツーン１ａとポンツーン１ｂ、ポンツーン１ｃとポンツーン１ｄとを鋼製枠体からなるガータ２によって連結して双胴型に形成されている。
【０００４】
また、このポンツーン１には吊りワイヤ用ウインチが搭載されており、その各ウインチから繰り出された吊りワイヤ３によって、沈埋函Ａ等の構造物を双胴型ポンツーン内に抱き込んだ状態に吊り下げることができるようになっており、更に、各ポンツーン１ａ〜１ｄには、構造物操作用ウインチが搭載されており、この構造物操作用ウインチより繰り出され該ウインチにより出入操作される操作用ワイヤ４，４の先端を沈埋函Ａに固定された滑車５，５…を通してそれぞれ所定位置の水底に係止させ、各構造物操作用ウインチを出入り操作することによって、沈埋函Ａを水平方向の位置調整を行いながら沈設することができるようになっている。
【０００５】
【発明が解決しようとする課題】
しかし、上述のような従来の作業台船では、潮流より受ける流圧抵抗が大きいため、潮流の速い作業現場においては安定せず、作業台船を係留する等の作業が多大な困難を伴うという問題があり、また、潮流の方向によって台船の方向転換が困難であった。
【０００６】
本発明は、このような従来の技術の状況を鑑み、速い潮流下においても安定して作業の行える作業台船の提供を目的とする。
【０００７】
【課題を解決するための手段】
上述の如き従来の問題を解決し、所期の目的を達成するための請求項１に記載の作業台船は、浮力を有する柱状の複数の支持脚と、該支持脚により水面より浮かんだ状態に支持された作業床版とを備えたことを特徴とする。
【０００８】
このように構成することによって、大幅に流圧抵抗を軽減することができ、速い潮流下においても係留作業や台船の方向転換等の作業を好適に行うことができる。
【０００９】
請求項２に記載の発明は、請求項１の構成に加え、支持脚は、円柱状であることを特徴とする。
【００１０】
このように構成することによって、支持脚の流圧抵抗を低減することができ、より作業台船全体に対する流圧抵抗を低減することができる。
【００１１】
請求項３に記載の発明は、請求項１又は２の構成に加え、浮力体は、その浮力を調整可能としたことを特徴とする。
【００１２】
このように構成することによって、作業床版下に沈埋函等の構造物を収容する際に、その構造物の高さに合わせて高さ調整をすることができる。
【００１３】
請求項４に記載の発明は、請求項１、２又は３の構成に加え、作業床版上に仮係留用ワイヤを出入操作する仮係留用ウインチと、方向変換用ワイヤを出入操作する方向変換用ウインチとを搭載し、前記仮係留用ワイヤ及び方向変換用ワイヤの先端をそれぞれ方向の異なる水底に係止させ、前記仮係留用ウインチ及び方向変換用ワイヤを動作させることにより水平方向に回転できるようにしたことを特徴とする。
【００１４】
このように構成したことによって、速い潮流下においても好適に方向転換を行うことができる。
【００１５】
請求項５に記載の発明は、請求項１〜３又は４の構成に加え、作業床版上に吊りワイヤを出入操作する吊り下げ用ウインチを搭載し、前記吊りワイヤを介して水底構造物を吊り下げ保持することを特徴とする。
【００１６】
このように構成することによって、作業台船に沈埋函等の水底構造物を保持した状態で設置現場まで移動可能となり、設置現場においては好適に沈設作業を行うことができる。
【００１７】
請求項６に記載の発明は、請求項５の構成に加え、作業床版上に構造物操作用ワイヤを出入操作する構造物操作用ウインチを搭載し、前記構造物操作用ワイヤの先端を水底構造物に固定された滑車を通して水底に係止させ、前記構造物操作用ウインチを動作させることにより前記水底構造物の水平方向の位置調整を行うようにしたことを特徴とする。
【００１８】
このように構成することによって、沈埋函等の水底構造物の沈設作業における作業精度が向上する。
【００１９】
【発明の実施の形態】
次に、本発明に係る作業台船の実施の形態について説明する。尚、上述の従来例と同一の部分に同一符号を付して説明を省略する。
【００２０】
図１〜図３は作業台船を示し、図中符号１０は作業台船、Ａは水底構造物である沈埋函である。
【００２１】
作業台船１０は、作業床版１１下に複数の支持脚１２，１２…を備え、該支持脚１２の浮力により作業床版１１が水面より浮いた状態に支持され、該作業床版１１下、即ち両側部に配置された支持脚１２，１２の間に沈埋函Ａを配置し、その沈埋函Ａを作業床版１１上に設置された吊り下げ用ウインチ１３，１３…により出入操作される吊りワイヤ１４，１４…によって吊り下げ保持するようになっている。
【００２２】
作業床版１１は、上面にフラットな作業床を有し、その下面の両端部には複数の支持脚１２，１２…が間隔を隔て平行に並んだ状態で接続されている。
【００２３】
また、作業床版１１の中央部分には、厚み方向に貫通した作業用窓１５が形成され、該作業用窓１５より沈埋函Ａを操作する構造物操作用ワイヤが下方に送り込まれるようになっている。
【００２４】
支持脚１２は、下部にフーチング１２ａを備えた中空円柱状に形成され、その内部に注排水を行うことによってその浮力を調整することができるようになっている。
【００２５】
また、この作業台船１０は、作業床版１１上に、沈埋函沈設時に沈埋函Ａの水平方向位置を調整するための縦操作用ウインチ１６及び横操作用ウインチ１７の２種類の構造物操作用ウインチ、作業台船１０の方向を調整する為の仮係留用ウインチ１８及び方向転換用ウインチ１９が備えられ、各ウインチにより出入操作される縦操作用ワイヤ２０、横操作用ワイヤ２１、仮係留用ワイヤ２２及び方向転換用ワイヤ２３の先端をそれぞれ異なる方向の水底に係止し、各ウインチを動作させることにより作業台船１０の方向及び沈埋函Ａの方向を調整できるようになっている。
【００２６】
沈埋函Ａは、長尺、即ち一方向に長い形状に形成され、その上面中央部分に縦操作用及び横操作用にそれぞれ複数の滑車２４ａ〜２４ｄ、２５ａ〜２５ｄが固定され、また、前後両端部には、縦操作用及び横操作用にそれぞれ複数の滑車２６ａ〜２６ｄ、２７ａ〜２７ｄが固定されている。
【００２７】
吊り下げ用ウインチ１３は、作業床版１１の中央前後縁部にそれぞれ２基づつワイヤの巻き取り軸方向が沈埋函Ａの長手方向と直交するように並べて配置され、吊りワイヤ１４は、吊り下げ用ウインチ１３より出て、作業床版１１の前後縁部に固定された滑車２８を介して作業床版縁部より垂下され、その先端が沈埋函Ａの上面に取り外し可能に固定されるようになっている。
【００２８】
縦操作用ウインチ１６は、作業用窓１５周囲の前後で対向する位置にそれぞれ２基づつワイヤの巻き取り軸方向が沈埋函Ａの長手方向と直交するように並べて配置され、縦操作用ワイヤ２０は、縦操作用ウインチ１６より出て、作業用窓１５の内縁に固定された滑車２９を介して作業用窓１５より垂下され、沈埋函Ａに固定された中央部内側の滑車２４ａ〜２４ｄを通して沈埋函Ａの前後端に固定された内側の滑車２６ａ〜２６ｄに通されるようになっている。
【００２９】
横操作用ウインチ１７は、作業用窓１５周囲の左右で対向する位置にそれぞれ２基づつワイヤの巻き取り軸方向が沈埋函Ａの長手方向と一致するように並べて配置され、横操作用ワイヤ２１は、横操作用ウインチ１７より出て、作業用窓１５の内縁に固定された滑車３０を介して作業用窓１５より垂下され、沈埋函Ａに固定された中央部外側の滑車２５ａ〜２５ｄを通して沈埋函Ａの前後端に固定された外側の滑車２７ａ〜２７ｄに通されるようになっている。
【００３０】
仮係留用ウインチ１８は、作業床版１１上面の四隅部にそれぞれ、隣り合う仮係留用ウインチ１８と互いにワイヤの巻き取り軸方向が直交するように配置されている。
【００３１】
また、仮係留用ワイヤ２２は、仮係留用ウインチ１８を出て、作業床版１１の四隅に固定された滑車３１を介して外向きに繰り出されるようになっている。
【００３２】
方向転換用ウインチ１９は、作業床版１１上面の四隅にそれぞれ隣り合う方向転換用ウインチ１９と互いにワイヤの巻き取り軸方向が直交するように配置されている。
【００３３】
方向転換用ワイヤ２３は、方向転換用ウインチ１９を出て、作業床版１１の四隅に固定された滑車３２を介して外向きに繰り出されるようになっている。
【００３４】
また、仮係留用ウインチ１８と方向転換用ウインチ１９は、互いにワイヤの巻き取り軸方向が直交するように配置されている。
【００３５】
縦操作用ワイヤ２０、横操作用ワイヤ２１、仮係留用ワイヤ２２及び方向転換用ワイヤ２３は、先端部に錨鎖が連結され、更にこの錨鎖を介して爪面積が広く、把駐力係数が大きい高把駐力アンカーが連結されている。
【００３６】
尚、吊り下げ用ウインチ１３、縦操作用ウインチ１６、横操作用ウインチ１７、仮係留用ウインチ１８及び方向転換用ウインチ１９の各ウインチは、作業床版１１上に設置された操作室３５において一括して制御できるようになっている。
【００３７】
この作業台船１０を用いることによって、潮流の速い施工現場においても、好適に沈埋函Ａの沈設を行うことができる。
【００３８】
以下にその手順を説明する。尚、以下の説明において、曳航時の進行方向前方を前、進行方向後方を後と記す。
【００３９】
まず、沈埋函Ａを自らの浮力で水面上に浮かべておき、その上に作業台船１０を移動させて、沈埋函Ａを作業床版１１下に両側に配置された支持脚１２，１２に挟まれた状態に配置させる。
【００４０】
次いで、吊り下げ用ウインチ１３より繰り出した吊りワイヤ１４を滑車２８を通して垂下させ、その先端を沈埋函Ａの上面に固定させ、吊り下げ用ウインチ１３を巻き上げて沈埋函Ａを吊り下げ保持させる。
【００４１】
この状態で、図５（ａ）に示すように、設置場所（施工現場）まで曳航する。
【００４２】
設置場所においては、潮流に対し、沈埋函Ａの長手方向が潮流の向きと一致する方向に作業台船１０及び沈埋函Ａを停泊させ、この位置で作業台船１０及び沈埋函Ａを仮係留する。
【００４３】
このように仮係留することによって、作業台船１０及び沈埋函Ａは、潮流による流圧抵抗を最も受けにくく、更に、作業床版１１が水面上に浮いた状態にあるので潮流による流圧抵抗を大幅に低減することができ、好適に係留作業を行うことができる。
【００４４】
この仮係留作業は、以下のようにして行う。
【００４５】
まず、前方左側の縦操作用ウインチ１６ａより縦操作用ワイヤ２０ａを繰り出し、滑車２９を介して作業用窓１５より垂下させ、滑車２４ａ，２６ａを通し、その先端に錨鎖を介して高把駐力アンカーを連結させ、該アンカーを揚錨船４０に吊り込む。
【００４６】
同様に左方前側の横操作用ウインチ１７ａより横操作用ワイヤ２１ａを繰り出し、滑車３０を介して作業用窓１５より垂下させ、滑車２５ａ，２７ａを通し、その先端に錨鎖を介して高把駐力アンカーを連結させ、該アンカーを揚錨船４０に吊り込む。
【００４７】
次いで、図５（ｂ）に示すように、揚錨船４０によりアンカーを曳航し、縦操作用ワイヤ２０ａ及び横操作用ワイヤ２１ａを繰り出しながらそれぞれ沈設位置より約１００ｍ離れた所定位置ｙ２，ｔ３まで曳航し、その位置で投錨する。
【００４８】
そして、縦操作用ウインチ１６ａ及び横操作用ウインチ１７ａを巻き取り方向に動作させ、縦操作用ワイヤ２０ａ及び縦操作用ワイヤ２１ａを張るとともに、各ワイヤ２０ａ，２１ａのアンカーを水底に係止させる。
【００４９】
この作業を、図５（ｃ）に示すように、右方前側の縦操作用ワイヤ２０ｂ及び前方右側の横操作用ワイヤ２１ｂについても行い、縦操作用ワイヤ２０ｂ及び横操作用ワイヤ２１ｂを張るとともに、各ワイヤ２０ｂ，２１ｂのアンカーを所定位置ｙ３，ｔ４において水底に係止させる。
【００５０】
次に、図６（ｄ）に示すように、前方左側及び右側の仮係留用ウインチ１８ａ，１８ｂより仮係留用ワイヤ２２ａ，２２ｂを繰り出し、その先端に錨鎖を介して高把駐力アンカーを連結し、該アンカーを揚錨船４０に吊り込み、所定個所ｐ３，ｐ４まで曳航する。
【００５１】
このとき所定箇所ｐ３，ｐ４は、作業台船１０、即ち作業床版１１の対角線の延長線上に略位置し、設置場所より約１００ｍ離れている。
【００５２】
この位置において投錨し、仮係留用ウインチ１８ａ，１８ｂを巻き取り方向に動作させることによって、仮係留用ワイヤ２２ａ，２２ｂを張るとともに、アンカーを水底に係止させる。
【００５３】
次に、後方左側の縦操作用ウインチ１６ｃより縦操作用ワイヤ２０ｃを繰り出し、滑車２９を介して作業用窓１５より垂下させ、滑車２４ｃ，２６ｃを通し、その先端に錨鎖を介して高把駐力アンカーを連結させ、該アンカーを揚錨船４０に吊り込む。
【００５４】
同様に右方後側の横操作用ウインチ１７ｄより横操作用ワイヤ２１ｄを繰り出し、滑車３０を介して作業用窓１５より垂下させ、滑車２５ｄ，２７ｄを通し、その先端に錨鎖を介して高把駐力アンカーを連結させ、該アンカーを揚錨船４０に吊り込む。
【００５５】
次いで、図６（ｅ）に示すように、揚錨船４０によりアンカーを曳航し、縦操作用ワイヤ２０ｃ及び横操作用ワイヤ２１ｄを繰り出しながらそれぞれ沈設位置より約１００ｍ離れた所定位置ｔ２，ｙ４まで曳航し、その位置で投錨する。
【００５６】
そして、縦操作用ウインチ１６ｃ及び横操作用ウインチ１７ｄを巻き取り方向に動作させ、縦操作用ワイヤ２０ｃ及び横操作用ワイヤ２１ｄを張るとともに、各ワイヤ２０ｃ，２１ｄのアンカーを水底に係止させる。
【００５７】
この作業を、図６（ｆ）に示すように、左方後側の横操作用ワイヤ２１ｃについても行い、横操作用ワイヤ２１ｃを張るとともに、各ワイヤのアンカーを所定位置ｙ１の水底に係止させる。
【００５８】
次に、後方右側の仮係留用ウインチ１８ｄより仮係留用ワイヤ２２ｄを滑車３１を介して繰り出し、その先端に錨鎖を介して高把駐力アンカーを連結し、該アンカーを揚錨船４０に吊り込み所定個所ｐ１まで曳航する。
【００５９】
このとき所定箇所ｐ１は、作業台船１０、即ち作業床版１１の略対角線の延長線上に略位置し、設置場所より約１００ｍ離れている。
【００６０】
この位置において投錨し、仮係留用ウインチ１８ｄを巻き取り方向に動作させることによって、仮係留用ワイヤ２２ｄを張るとともに、アンカーを水底に係止させる。
【００６１】
この状態で、沈埋函Ａを設置場所まで曳航してきたタグボート等を切り離す。
【００６２】
次いで、図７（ｇ）に示すように、後方左側の仮係留用ウインチ１８ｃより仮係留用ワイヤ２２ｃを滑車３１を介して繰り出し、その先端に錨鎖を介して高把駐力アンカーを連結し、該アンカーを揚錨船４０に吊り込み、所定個所ｐ２まで曳航する。
【００６３】
このとき所定箇所ｐ２は、作業台船１０、即ち作業床版１１の対角線の延長線上に略位置し、設置場所より約１００ｍ離れている。
【００６４】
この位置において投錨し、仮係留用ウインチ１８ｃを巻き取り方向に動作させることによって、仮係留用ワイヤ２２ｃを張るとともに、アンカーを水底に係止させる。
【００６５】
これで作業台船１０が沈埋函Ａの長手方向と潮流方向とを一致させた状態で仮係留される。
【００６６】
次に、図７（ｈ）に示すように、各方向転換用ウインチ１９ａ〜１９ｄより方向転換用ワイヤ２３ａ〜２３ｄを繰り出し、その先端に錨鎖を介して高把駐力アンカーに連結し、該アンカーを揚錨船４０に吊り込み、それぞれ所定位置ｋ１〜ｋ４まで曳航し、そこで投錨する。
【００６７】
この所定位置ｋ１〜ｋ４は、それぞれ作業台船１０、即ち作業床版１１の周縁の延長線上に略位置し、設置現場より約１００ｍ離れた位置にある。
【００６８】
そして、最後に、図７（ｉ）に示すように、後方右側の縦操作用ウインチ１６ｄより縦操作用ワイヤ２０ｄを繰り出し、滑車２９を介して作業用窓１５より垂下させ、滑車２４ｄ，２６ｄを通し、その先端に錨鎖を介して高把駐力アンカーを連結させ、該アンカーを揚錨船４０に吊り込んで曳航し、所定位置ｔ１で投錨する。
【００６９】
そして、縦操作用ウインチ１６ｄを巻き取り方向に動作させ、縦操作用ワイヤ２０ｄを張るとともに、ワイヤ２０ｄのアンカーを水底に係止させる。
【００７０】
この状態で、図８に示すように、沈埋函Ａ内に注水するとともに、各吊り下げ用ウインチ１３，１３…を同期させ、等速で吊りワイヤ１４，１４…を繰り出し、途中（約２０ｍの深さ）まで沈埋函Ａを吊り持ち状態のまま沈降させる。
【００７１】
このとき、各縦操作用ウインチ１６ａ〜１６ｄ及び各横操作用ウインチ１７ａ〜１７ｄは、吊り下げ用ウインチ１３，１３…に連動して縦操作用ワイヤ２０ａ〜２０ｄ及び横操作用ワイヤ２１ａ〜２１ｄが繰り出される。
【００７２】
次に、仮係留した状態で作業船１１及び沈埋函Ａを水平方向で回転させ、沈埋函Ａの予定設置方向に合わせる。
【００７３】
まず、図９（ｊ）に示すように、各仮係留用ウインチ１８ａ〜１８ｄを繰り出し方向に動作させるとともに、各方向転換用ウインチ１９ａ〜１９ｄを仮係留用ウインチ１８ａ〜１８ｄと同期させて巻き取り方向に動作させる。
【００７４】
このようにすることによって、作業台船１１の潮流方向を向いた状態の係留（緊張）が解かれるとともに、先端が水底に係止された方向変換用ワイヤ２３ａ〜２３ｄが巻き取られることによって、作業台船１１の４隅部分が回転方向に引っ張られ、時計回りで回転する。
【００７５】
このとき、横操作用ウインチ１７ａ，１７ｄを方向変換用ウインチ１９ａ〜１９ｄに同期させながら繰り出し方向に動作させ、他の横操作用ウインチ１７ｂ，１７ｃの２基を方向変換用ウインチ１９ａ〜１９ｄに同期させながら巻き取り方向に動作させる。
【００７６】
また、各縦操作用ウインチ１６ａ〜１６ｄを横操作用ウインチ１７ａ〜１７ｄに同期させながら繰り出し方向に動作させる。
【００７７】
このようにすることによって、沈埋函Ａの前後端部がそれぞれ逆の方向に引っ張られ、且つ吊りワイヤ１４，１４…によって沈埋函Ａの中央部分が支持されているので、作業台船１１の回転に合わせて沈埋函Ａも回転する。
【００７８】
そして、図９（ｌ）に示す位置、即ち沈埋函Ａの予定設置方向と沈埋函Ａの長手方向とが一致する位置まで回転させた後、各ウインチ１６，１７，１８，１９を停止させる。
【００７９】
このとき、方向転換用ワイヤ２３ａ〜２３ｄが作業台船１１の対角線延長上で張った状態になり、作業台船１１は、各方向転換用ワイヤ２３ａ〜２３ｄによって係留された状態となる。
【００８０】
この状態で沈埋函Ａ内に更に注水し、図１０に示すように、吊り下げ用ウインチ１３，１３…を同期させながら等速で繰り出し方向に動作させるとともに、縦操作用ウインチ１６ａ〜１６ｄ及び横操作用ウインチ１７ａ〜１７ｄが吊り下げ用ウインチ１３，１３…と連動して、縦操作用ワイヤ１６ａ〜１６ｄ及び横操作用ワイヤ１７ａ〜１７ｄを繰り出し、沈埋函Ａを吊り持ち状態を維持させた状態で沈降させる。
【００８１】
このようにして所定の設置深さ近くまで沈降させた後、沈降を一旦停止させ、各縦操作用ウインチ１６ａ〜１６ｄ及び各横操作用ウインチ１７ａ〜１７ｄを繰り出し方向又は巻き取り方向に動作させて、設置位置の調整を行いながら最終設置位置まで沈降させる。
【００８２】
尚、上述の実施例では、水底構造物が沈埋トンネルを構成する沈埋函である場合について説明したが、水底構造物は、ケーソンやその他の構造物であってもよい。
【００８３】
また、上述の実施例では、各ワイヤ２０，２１，２２，２３の先端部に錨鎖を介して高把駐力アンカーを連結させた例について説明したが、予め所定の位置ｙ１〜ｙ４、ｔ１〜ｔ４、ｐ１〜ｐ４、ｋ１〜ｋ４にシンカーを配置しておき、各ワイヤ２０，２１，２２，２３の先端をシンカーに係止させるようにしてもよい。
【００８４】
【発明の効果】
上述のように、本発明に係る作業台船は、浮力を有する柱状の複数の支持脚と、該支持脚により水面より浮かんだ状態に支持された作業床版とを備えたことによって、速い潮流下においても流圧抵抗が低減されて、潮流による影響を受けにくく、沈設等の作業を好適に行うことができる。
【００８５】
また、双胴型の作業台船と異なり一体型であるので、安定した状態を得ることができる。
【００８６】
また、水平方向で回転する場合においても流圧抵抗が低いので、好適に回転することができる。
【図面の簡単な説明】
【図１】本発明に係る作業台船を示す平面図である。
【図２】同上の正面図である。
【図３】同上の縦断面図である。
【図４】図１中の沈埋函を示す平面図である。
【図５】（ａ）〜（ｃ）は、本発明に係る作業台船を用いた水底構造物の沈設方法における曳航から前方の構造物操作用ワイヤの装着までの各工程の概略を示す平面図である。
【図６】（ｄ）〜（ｆ）は、同上の前方部仮係留用ワイヤ装着から後方仮係留用ワイヤ装着までの各工程の概略を示す平面図である。
【図７】（ｇ）〜（ｉ）は、同上の後方仮係留用ワイヤ装着から係留作業完了までの各工程の概略を示す平面図である。
【図８】同上の中間の水底構造物沈降工程を示すＡ−Ａ線断面図である。
【図９】（ｊ）〜（ｌ）は、水平回転の各工程の概略を示す平面図である。
【図１０】同上の水底構造物の沈設工程を示す側面図である。
【図１１】従来の作業台船の一例を示す平面図である。
【図１２】同上の作業台船の正面図である。
【符号の説明】
Ａ  沈埋函
１０  作業台船
１１  作業床版
１２  支持脚
１３  吊り下げ用ウインチ
１４  吊りワイヤ
１５  作業用窓
１６  縦操作用ウインチ
１７  横操作用ウインチ
１８  仮係留用ウインチ
１９  方向転換用ウインチ
２０  縦操作用ワイヤ
２１  横操作用ワイヤ
２２  仮係留用ワイヤ
２３  方向転換用ワイヤ
２４  縦操作用滑車（中央）
２５  横操作用滑車（中央）
２６  縦操作用滑車（端部）
２７  横操作用滑車（端部）
２９  滑車
３０  滑車
３１  滑車
３２  滑車
３５  操作室
４０  揚錨船
【図１】
2004352005.tif 000003
【図２】
2004352005.tif 000004
【図３】
2004352005.tif 000005
【図４】
2004352005.tif 000006
【図５】
2004352005.tif 000007
【図６】
2004352005.tif 000008
【図７】
2004352005.tif 000009
【図８】
2004352005.tif 000010
【図９】
2004352005.tif 000011
【図１０】
2004352005.tif 000012
【図１１】
2004352005.tif 000013
【図１２】
2004352005.tif 000014